(57)【要約】【課題】現場での施行性が良くて組み替えが比較的容易に行える経済的にして、機能性、耐火性等に優れたトランクーム用間仕切を提供すること。【解決手段】一対の間仕切柱部材１０に下部横桟部材５０と一対のパネル受部材２０が取り付け固着され、この対向配置のパネル受部材２０の凹溝部と下部横桟部材５０の凹溝部に、石膏ボードの両面に化粧鋼板が貼り合わされて形成された間仕切パネル３０の両側縁部と下端縁部が嵌め込まれて取り付けられ、間仕切パネル３０の上端縁部にはその開口部と溝部を介して上部横桟部材４０が嵌め込まれ取り付けられて固着され、トランクルーム用間仕切とされる。【選択図】      図１
2004197395.tif 000002
【特許請求の範囲】
【請求項１】
左右一対の中空状の間仕切柱部材（１０）と、
該一対の間仕切柱部材（１０）の対向面に取り付けられる一対のパネル受部材（２０）と、
該一対のパネル受部材間（２０）に取り付けられる間仕切パネル（３０）と、
前記一対の間仕切柱部材（１０）の上下部に取り付けられる上下の中空状の横桟部材（４０）、（５０）と
を備え、
前記間仕切柱部材（１０）は、断面方形状にして、その中空主体部（１１）の四隅長手方向に、溝部（１３）と該溝部（１３）と連なる剪除係合部（１４）を有する断面略矢印状の縁部（１５）を有し、
前記パネル受部材（２０）は、その長手方向中央部位に、前記間仕切パネル（３０）の端縁部（３３）が嵌まり込む凹溝部（２１）と、該凹溝部（２１）と連なる左右の片部（２２）、（２３）を介して下端外側にそれぞれ左右対称に形成された前記剪除係合部（１４）との係合突起部（２４）を有し、
前記上下の横桟部材（４０）、（５０）は、それぞれ前記間仕切パネル（３０）の上下端縁部（３３）が嵌まり込む開口部（４１）と溝部（４５）、凹溝部（５５）を有し、
前記一対の間仕切柱部材（１０）には、前記下部横桟部材（５０）と前記一対のパネル受部材（２０）が固着され、この対向配置のパネル受部材（２０）の凹溝部（２１）と前記下部横桟部材（５０）の凹溝部（５５）に前記間仕切パネル（３０）の両側縁部（３３）と下端縁部（３３）が嵌め込まれるとともに、間仕切パネル（３０）の上端縁部にはその開口部（４１）と溝部（４５）を介して前記上部横桟部材（４０）が嵌め込まれて、前記一対の間仕切柱部材（１０）に固着されてなる構成を特徴とするトランクルーム用間仕切。
【請求項２】
前記間仕切パネル（３０）は、石膏ボード（３１）の両面に化粧鋼板（３２）が貼り合わされて形成されている請求項１のトランクルーム用間仕切。
【請求項３】
前記間仕切柱部材（１０）、パネル受部材（２０）及び上下の横桟部材（４０）、（５０）は、アルミニウム押出型材からなる請求項１のトランクルーム用間仕切。
【発明の詳細な説明】
【０００１】
【発明の属する技術分野】
本発明は、荷物を保管するトランクルームの間仕切に関するものである。
【０００２】
【従来の技術】
トランクルームにおいては、高い耐久性と耐火性が要求されるが、従来のトランクルームの間仕切は、特に図示しないが、間仕切柱部材に断面コ字形の硬質樹脂製パネルキャップを介して間仕切パネルが取り付けられ、間仕切パネルは、芯材であるペーパーハニカムの両面にポリエステル化粧合板又はスチール化粧鋼板を貼り合わせた構造のものが一般的であった。
【０００３】
ところで、従来のトランクルーム用間仕切において、その間仕切パネルは、ペーパーハニカムコアの両面にポリエステル化粧合板又はスチール化粧鋼板を貼り合わせた構造のものであるため、ひびが入ったり、芯材がペーパーハニカムのために割れたりし、更にはへこんだりして強度的に劣り、又、芯材がペーパーハニカムのために火に対しても有効でなくて耐火性にも劣るという問題点があった。
【０００４】
又、間仕切パネルは硬質樹脂製のパネルキャップを介して間仕切柱部材に取り付けられるため、アルミ押出型材である間仕切柱部材に対する硬質樹脂製のパネルキャップの装着が容易でなく、現場での組立て施行性に劣るという問題点があった。
【０００５】
【発明が解決しようとする課題】
本発明は、このような問題点に鑑みなされたもので、その目的とするところは、現場での施行性が良くて組み替えが比較的容易に行える経済的にして、機能性に優れたトランクーム用間仕切を提供することにある。
【０００６】
本発明のもう一つの目的は、間仕切パネルを石膏ボードの両面に化粧鋼板を直接貼り合わせて隙間のない堅牢不燃パネル構造とした耐火性・耐久性に優れたトランクルーム用間仕切を提供することにある。
【０００７】
【課題を解決するための手段】
これらの目的を達成するためになされた本発明の請求項１に記載のトランクルーム用間仕切は、左右一対の中空状の間仕切柱部材と、該一対の間仕切柱部材の対向面に取り付けられる一対のパネル受部材と、該一対のパネル受部材間に取り付けられる間仕切パネルと、前記一対の間仕切柱部材の上下部に取り付けられる上下の中空状の横桟部材とを備え、前記間仕切柱部材は、断面方形状にして、その中空主体部の四隅長手方向に、溝部と該溝部と連なる剪除係合部を有する断面略矢印状の縁部を有し、前記パネル受部材は、その長手方向中央部位に、前記間仕切パネルの端縁部が嵌まり込む凹溝部と、該凹溝部と連なる左右の片部を介して下端外側にそれぞれ左右対称に形成された前記剪除係合部との係合突起部を有し、前記上下の横桟部材は、それぞれ前記間仕切パネルの上下端縁部が嵌まり込む開口部、溝部と凹溝部を有し、前記一対の間仕切柱部材には、前記下部横桟部材と前記一対のパネル受部材が固着され、この対向配置のパネル受部材の凹溝部と前記下部横桟部材の凹溝部に前記間仕切パネルの両側縁部と下端縁部が嵌め込まれるとともに、間仕切パネルの上端縁部にはその開口部と溝部を介して前記上部横桟部材が嵌め込まれて、前記一対の間仕切柱部材に固着されてなる構成を特徴とするものである。
【０００８】
本発明の請求項２に記載のトランクルーム用間仕切は、間仕切パネルは、石膏ボードの両面に化粧鋼板が貼り合わされて形成されていることを特徴とするものである。
【０００９】
本発明の請求項３に記載のトランクルーム用間仕切は、間仕切柱部材、パネル受部材及び上下の横桟部材は、アルミニウム押出型材からなることを特徴とするものである。
【００１０】
【発明の実施の形態】
本発明の実施の形態について図面を参照し、その作用と共に説明する。
【００１１】
図１は、本発明に係るトランクルーム用間仕切を適用したトランクルームの概略正面図、図２は本発明に係るトランクルーム用間仕切の分解斜視図、図３は組立状態での斜視図、図４は図１の４−４線に沿った一部省略の部分拡大断面図、図５は図１の５−５線に沿った一部省略の拡大断面図である。
【００１２】
図１において、本発明に係る間仕切を適用したトランクルームの基本パターンは、規格化されたところの間仕切柱部材１０、パネル受部材２０、間仕切パネル３０、上部横桟部材４０、下部横桟部材５０、扉６０から構成されている。
【００１３】
以下、詳細に説明すると、トランクルーム用の本発明の間仕切は、図２に分解されて示されているように、規格化された左右一対の間仕切柱部材１０、左右一対のパネル受部材２０、間仕切パネル３０、上部横桟部材４０、下部横桟部材５０を備え、間仕切パネル３０を除く各部材１０、２０、４０、５０は、アルミニウム押出型材として得られる。
【００１４】
間仕切柱部材１０の断面形状は、図４及び図６に示されているように、中空の正方形であって、その中空主体部１１の四隅長手方向には、やや外側に向いた短突片部１２を介して略Ｕ字状溝部１３と該溝部１３と連なる剪除係合部１４を有する略矢印ブロック状の縁部１５を有している。
【００１５】
一対の間仕切柱部材１０における各主体部１１に取り付けられる一対のパネル受部材２０の断面形状は、図４及び図６に示されているように、その長手方向中央部位に、前記間仕切パネル３０の端縁部が嵌まり込む凹溝部２１と、該凹溝部２１と連なる左右のやや下向き傾斜片部２２と、該傾斜片部２２と連なる先端先鋭状の垂直片部２３と、該垂直片部２３のやや下端外側に水平にして、かつ左右対称に突設の剪除係合部１４との係合突起部２４を有している。
【００１６】
そして、パネル受部材２０は、上方より間仕切柱部材１０の主体部１１に挿入される。すると、図７に示されているように、係合突起部２４と剪除係合部１４が係合して凹溝部２１に沿いながらスムーズに挿入されて取り付けられる。
【００１７】
間仕切柱部材１０、１０に対向配置された一対のパネル受部材２０、２０間に取り付けられる間仕切パネル３０は、図４及び図６に示されているように、石膏ボード３１の両面に化粧鋼板３２が貼り合わされて形成されている。
【００１８】
これにより、間仕切パネル３０は、不燃パネルとなって高度の不燃性を確保できるとともに、堅牢なパネルとなって様々な衝撃に耐え得る高耐久性を有する。
【００１９】
一対の間仕切柱部材１０、１０間の上部に取り付けられる上部横桟部材４０の断面形状は、図５に示されているように、両面長手方向中央部位に対称に開口された間仕切パネル３０の端縁部３３が嵌まり込むリップ部付開口部４１、４１と、長手方向中央部位に形成の中空部４２と、該中空部４２を形成している仕切片部４３、４３の長手方向の両側にして、かつ開口部４２のリップ部との適合部位に突設された突起部４４、４４により形成の間仕切パネル３０の端縁部３３が嵌まり込む溝部４５を有している。
【００２０】
なお、上部横桟部材４０の幅寸法は、間仕切柱部材１０の主体部１１である端縁１５、１５間にピッタリと嵌まり込む長さに設定されている。
【００２１】
一対の間仕切柱部材１０、１０間の下部に取り付けられる下部横桟部材５０は、上部巾木部材５１と、該巾木部材５１内にその上部が嵌まり込んで連結固着される下部巾木部材５２と、該巾木部材５２内に固定された下向きコ字形支持部材５３を介して起立状に設けられた巾木ジャッキ５４から構成されている。
【００２２】
上部巾木部材５１の断面形状は、図５に示されているように、下面が開口した下向きコ字形状であって、その上面の長手方向中央部位に、間仕切パネル３０の端縁３３が嵌まり込む凹溝部５５を有している。
【００２３】
下部巾木部材５２の断面形状は、図５に示されているように、上面が開口した上向きコ字形状であって、該巾木部材５２はその開口側が上部巾木部材５１の開口側より内部に嵌め込まれ、互いの接合している適所部位においてビス止め等により固着される。
【００２４】
このような構成部材を備えた本間仕切は、一対の間仕切柱部材１０の上下端にして、かつ主体部１１の対向面に切欠部１６、１７が形成され、下部切欠部１７には下部横桟部材５０の端部が嵌め込まれ、一対の間仕切柱部材１０、１０間に取り付けられて固着される。
【００２５】
一対の間仕切柱部材１０における対向せる主体部１１には、それぞれパネル受部材２０が、上方よりその係合突起部２４を剪除係合部１４に係合させて凹溝部２１に沿いながら挿入されて取り付けられる。
【００２６】
次いで、相対向配置のパネル受部材２０の凹溝部２１に、間仕切パネル３０の両端縁３３が上方より嵌め込まれて取り付けられる。
【００２７】
次いで、上方より上部横桟部材４０の両端部が一対の間仕切柱部材１０の主体部１１に嵌め込まれ、そのリップ部付開口部４１を介して溝部４５と間仕切パネル３０の端縁とが当接するまで嵌め込まれて取り付けられる。
【００２８】
次いで、必要に応じ、上部横桟部材４０の上方に一対複数の間隔保持部材７０を介して複数の横桟部材４０が取り付けられ、間仕切柱部材１０の最上端には、上部切欠部１６に最上端の上部横桟部材４０の端部が嵌め込まれて、一対の間仕切柱部材１０、１０間に取り付けられて固着される。
【００２９】
なお、間隔保持部材７０の断面形状は、パネル受部材２０のそれと同一であって、これを適宜の長さに切断して用いられる。
【００３０】
間隔保持部材７０を介しての複数の上部横桟部材４０の取り付けは通気、採光等のためであって、密閉タイプ間仕切にあっては、特に図示しないが、最上端横桟部材４０と中間の上部横桟部材４０との間に更に間仕切パネル３０が嵌め込まれて取り付けられる。
【００３１】
【発明の効果】
しかして、請求項１及び３の発明によれば、間仕切柱部材、パネル受部材、上下部横桟部材は全てアルミニウム押出型材による規格化されたシンプルな部材構成とされているため、コストが大幅に削減され、又、現場での施工性が良く、計画ニーズにあわせた自由な組み替えが容易に行ない得るものである。
【００３２】
又、請求項２の発明によれば、強度性が増して耐久性、堅牢性に優れるとともに、不燃パネルとして耐火性にも優れるものである。
【図面の簡単な説明】
【図１】本発明に係るトランクルーム用間仕切を適用したトランクルームの概略正面図である。
【図２】本発明に係るトランクルーム用間仕切の分解斜視図である。
【図３】組立状態での斜視図である。
【図４】図１の４−４線に沿った一部省略の部分拡大断面図である。
【図５】図１の５−５線に沿った一部省略の拡大断面図である。
【図６】間仕切柱部材とパネル受部材、間仕切パネルとの取り付け関係を示す一部省略の拡大断面図である。
【図７】間仕切柱部材の剪除係合部とパネル受部材の係合突起部との係合状態を示す部分拡大断面図である。
【符号の説明】
１０    一対の間仕切柱部材
１１    中空主体部
１３    溝部
１４    剪除係合部
１５    縁部
２０    パネル受部材
２１    凹溝部
２２    傾斜片部
２３    垂直片部
２４    係合突起部
３０    間仕切パネル
３１    石膏ボード
３２    化粧鋼板
４０    上部横桟部材
４１    開口部
４５    溝部
５０    下部横桟部材
５５    凹溝部
【図１】
2004197395.tif 000003
【図２】
2004197395.tif 000004
【図３】
2004197395.tif 000005
【図４】
2004197395.tif 000006
【図５】
2004197395.tif 000007
【図６】
2004197395.tif 000008
【図７】
2004197395.tif 000009